(57)【要約】【課題】通常用途の妨げとならない方法で出力端子へのケーブル接続の有無を検知し、システム全体で低消費電力化を図る。【解決手段】出力側電力供給制御装置は、出力端子４へのケーブル２０の接続有無を検知する接続検知部５２と、検知結果を基に映像・音声出力装置１の電力供給を制御する制御部５と、アナログ端子を用いて、映像・音声表示装置２との間で非可聴音声信号通信を行う非可聴音声信号処理部６とを備え、接続検知部５２は、出力端子４がアナログ端子である場合に、非可聴音声信号処理部６による通信結果を基に当該出力端子４へのケーブル２０の接続有無を検知し、表示側電力供給制御装置は、アナログ端子を用いて、非可聴音声信号処理部６との間で非可聴音声信号通信を行う非可聴音声信号処理部１１を備えた。【選択図】図１
2013102265.tif 000002
【特許請求の範囲】
【請求項１】
出力端子を複数有する映像・音声出力装置に適用された出力側電力供給制御装置と、前記出力端子とケーブルを介して接続される入力端子を複数有する映像・音声表示装置に適用された表示側電力供給制御装置とを備えた電力供給制御システムにおいて、
前記出力側電力供給制御装置は、
前記出力端子への前記ケーブルの接続有無を検知する接続検知部と、
前記接続検知部による検知結果に基づいて、前記映像・音声出力装置の電力供給を制御する制御部と、
アナログ端子を用いて、前記映像・音声表示装置との間で非可聴帯域での音声信号通信を行う出力側非可聴音声信号処理部とを備え、
前記接続検知部は、前記出力端子が前記アナログ端子である場合に、前記出力側非可聴音声信号処理部による通信結果に基づいて、当該出力端子への前記ケーブルの接続有無を検知し、
前記表示側電力供給制御装置は、
アナログ端子を用いて、前記出力側非可聴音声信号処理部との間で非可聴帯域での音声信号通信を行う表示側非可聴音声信号処理部を備えた
ことを特徴とする電力供給制御システム。
【請求項２】
前記接続検知部は、前記各出力端子に対して設定した優先度に従った順で、前記ケーブルの接続有無を検知する
ことを特徴とする請求項１記載の電力供給制御システム。
【請求項３】
前記出力端子は、ＣＥＣ機能を有する端子又はアナログ端子であり、
前記制御部は、前記ＣＥＣ機能又は前記出力側非可聴音声信号処理部による前記映像・音声表示装置との双方向通信により検知された前記映像・音声表示装置の電源状態に基づいて、前記映像・音声出力装置の電力供給を制御する
ことを特徴とする請求項１又は請求項２記載の電力供給制御システム。
【請求項４】
映像・音声表示装置の入力端子とケーブルを介して接続される出力端子を複数有する映像・音声出力装置に適用された出力側電力供給制御装置において、
前記出力端子への前記ケーブルの接続有無を検知する接続検知部と、
前記接続検知部による検知結果に基づいて、前記映像・音声表示装置の電力供給を制御する制御部と、
アナログ端子を用いて、前記映像・音声表示装置との間で非可聴帯域での音声信号通信を行う出力側非可聴音声信号処理部とを備え、
前記接続検知部は、前記出力端子が前記アナログ端子である場合に、前記出力側非可聴音声信号処理部による通信結果に基づいて、当該出力端子への前記ケーブルの接続有無を検知する
ことを特徴とする出力側電力供給制御装置。
【請求項５】
映像・音声出力装置の出力端子とケーブルを介して接続される入力端子を複数有する映像・音声表示装置に適用された表示側電力供給制御装置において、
アナログ端子を用いて、前記映像・音声出力装置との間で非可聴帯域での音声信号通信を行う表示側非可聴音声信号処理部を
備えたことを特徴とする表示側電力供給制御装置。
【発明の詳細な説明】
【技術分野】
【０００１】
この発明は、映像・音声信号を出力し得る各種映像・音声出力端子を複数有するセットトップボックス（ＳＴＢ）に代表される、ＩＰ映像・音声配信コンテンツを受信して映像・音声信号を出力する装置（以下、映像・音声出力装置）と、この信号を基に映像・音声を表示するテレビやディスプレイ等のモニタ装置（以下、映像・音声表示装置）とを備えた映像・音声出力表示システムに適用される電力供給制御システム、出力側電力供給制御装置及び表示側電力供給制御装置に関するものである。
【背景技術】
【０００２】
現在、通常の地上波テレビ放送だけでなく、ケーブルテレビ放送、ＢＳ・ＣＳ放送といった様々な形態の放送サービスが存在する。その中でも特に、近年、映像・音声出力装置にてＩＰネットワーク経由で映像・音声コンテンツを受信し、映像・音声表示装置上で番組視聴を行うＩＰ映像・音声配信サービスが普及してきている。この映像・音声出力表示システムは、映像・音声出力装置の各種映像・音声出力端子（以下、出力端子と称す）と映像・音声表示装置の各種映像・音声入力端子（以下、入力端子と称す）とを各種ＡＶケーブルで接続することで構成されている。
【０００３】
一方、ＩＰ映像・音声配信サービスは、映像・音声出力装置を宅内や屋内で使用することを想定して設計されている。そして、映像・音声出力装置の一般的な使用形態により、電源をＯＮにしたまま使用することが多いことが想定される。そのため、消費電力を低減することが重要である。
この際、各出力端子へのＡＶケーブルの接続有無に応じて、又は、映像・音声表示装置の電源状態に応じて、一つの優先すべき映像・音声出力以外の映像・音声生成処理を停止させることが非常に有効となる。
【０００４】
従来から映像・音声出力装置における消費電力の低減にはいくつか手法がある。しかしながら、上記手法は、例えばＨＤＭＩ端子やＤ端子等のように、端子へのＡＶケーブルの接続検知を行う際に用いるホットプラグ検出信号をもつデジタル端子に対するものである。したがって、上記ホットプラグ検出信号をもたないコンポジット等のアナログ端子に対しての接続検知は実現が困難であった。
【０００５】
それに対して、例えば特許文献１では、アナログ端子に対しても接続検知を可能とする手法が開示されている。この特許文献１に開示された手法では、ホットプラグ検出信号をもつデジタル端子の他に、上記ホットプラグ検出信号をもたないアナログ端子へテスト用映像信号を出力させる映像信号処理部を備えている。そして、出力端子から出力されたテスト用映像信号の電圧値を検出し、基準電圧と比較することで、当該出力端子がＡＶケーブルを介して外部の機器と接続されているか否かを判定する。この判定結果により、例えば、解像度の高い順で出力端子の出力優先度をつける等して、現状の映像出力可能な出力端子のうち、最も優先度の高い出力端子に映像・音声出力を限定する。そして、除外された出力端子に対して、映像・音声信号を生成しないことで、消費電力の低減を図っている。
また、機械的にスイッチを各端子に設け、各端子へのケーブル接続、非接続を上記スイッチのＯＮ、ＯＦＦと連動させる手法もある。
【先行技術文献】
【特許文献】
【０００６】
【特許文献１】特開２０１１−１５１６４６号公報
【発明の概要】
【発明が解決しようとする課題】
【０００７】
しかしながら、特許文献１に開示された手法では、テスト用映像信号を送るため、映像・音声表示装置上に予期せぬ映像・色が表示されてしまう恐れがあるという課題があった。また、低消費電力を実現するためには、優先度の高い出力端子に映像・音声出力を限定し、除外された出力端子に対して、映像・音声信号を生成しないだけではなく、その出力端子の周辺回路への電源供給を停止することも必要であるという課題があった。
また、スイッチを各端子に設ける方法では、機械的な構造の寿命による制約を受けるという課題があった。
【０００８】
この発明は、上記のような課題を解決するためになされたもので、テレビやディスプレイ等の映像・音声表示装置とアナログ信号からデジタル信号まで扱うＳＴＢ等の映像・音声出力装置を有する映像・音声出力表示システムにおいて、機械的なスイッチを設けることなく、通常用途の妨げとならない方法で出力端子へのケーブル接続の有無を検知することで、システム全体での低消費電力化を図ることができる電力供給制御システム、出力側電力供給制御装置及び表示側電力供給制御装置を提供することを目的としている。
【課題を解決するための手段】
【０００９】
この発明に係る電力供給制御システムは、出力端子を複数有する映像・音声出力装置に適用された出力側電力供給制御装置と、出力端子とケーブルを介して接続される入力端子を複数有する映像・音声表示装置に適用された表示側電力供給制御装置とを備え、出力側電力供給制御装置は、出力端子へのケーブルの接続有無を検知する接続検知部と、接続検知部による検知結果に基づいて、映像・音声出力装置の電力供給を制御する制御部と、アナログ端子を用いて、映像・音声表示装置との間で非可聴帯域での音声信号通信を行う出力側非可聴音声信号処理部とを備え、接続検知部は、出力端子がアナログ端子である場合に、出力側非可聴音声信号処理部による通信結果に基づいて、当該出力端子へのケーブルの接続有無を検知し、表示側電力供給制御装置は、アナログ端子を用いて、出力側非可聴音声信号処理部との間で非可聴帯域での音声信号通信を行う表示側非可聴音声信号処理部を備えたものである。
【発明の効果】
【００１０】
この発明によれば、上記のように構成したので、テレビやディスプレイ等の映像・音声表示装置とアナログ信号からデジタル信号まで扱うＳＴＢ等の映像・音声出力装置を有する映像・音声出力表示システムにおいて、機械的なスイッチを設けることなく、通常用途の妨げとならない方法で出力端子へのケーブル接続の有無を検知することができる。そして、その検知結果に応じて映像・音声出力装置の電力供給を制御することで、システム全体での低消費電力化を図ることができる。
【図面の簡単な説明】
【００１１】
【図１】この発明の実施の形態１に係る電源供給制御システムが適用された映像・音声出力表示システムの全体構成を示す図である。
【図２】この発明の実施の形態１に係る電源供給制御システムの動作を示すフローチャートである。
【図３】この発明の実施の形態１に係る電源供給制御システムの優先度決定基準の一例を示す図である。
【図４】この発明の実施の形態２に係る電源供給制御システムが適用された映像・音声出力表示システムの全体構成を示す図である。
【図５】この発明の実施の形態２に係る電源供給制御システムの動作（映像・音声表示装置の電源がＯＦＦからＯＮになる場合）を示すフローチャートである。
【図６】この発明の実施の形態２に係る電源供給制御システムの優先度決定基準の一例を示す図である。
【図７】この発明の実施の形態２に係る電源供給制御システムの動作（映像・音声表示装置の電源がＯＮからＯＦＦになる場合）を示すフローチャートである。
【発明を実施するための形態】
【００１２】
以下、この発明の実施の形態について図面を参照しながら詳細に説明する。
実施の形態１．
図１はこの発明の実施の形態１に係る電力供給制御システムが適用された映像・音声出力表示システムの全体構成を示す図である。
映像・音声出力表示システムは、図１に示すように、映像・音声出力装置１及び映像・音声表示装置２から構成されている。また、映像・音声出力装置１の各種出力端子４ａ〜４ｃと、映像・音声表示装置２の各種入力端子８ａ〜８ｃとの間は、各種ＡＶケーブル２０を介して接続される。
【００１３】
映像・音声出力装置１は、図１に示すように、映像・音声処理部３、複数の出力端子４ａ〜４ｃ、制御部５及び非可聴音声信号処理部（出力側非可聴音声信号処理部）６から構成されている。また、出力端子４ａ〜４ｃには周辺回路７ａ〜７ｃが設けられている。なお以下では、特に区別する必要がない場合には、出力端子４ａ〜４ｃ及び周辺回路７ａ〜７ｃを出力端子４及び周辺回路７と称す。また、制御部５及び非可聴音声信号処理部６は本発明の出力側電力供給制御装置を構成する。
【００１４】
映像・音声処理部３は、ＩＰネットワーク経由で所定の映像・音声コンテンツを受信し、各コンテンツデータのデコード処理を行うものである。この映像・音声処理部３は、対応する出力端子４ａ〜４ｃの種別に応じた形式でコンテンツデータをデコードする処理部３１ａ〜３１ｃを複数有している。なお以下では、特に区別する必要がない場合には、各処理部３１ａ〜３１ｃを処理部３１と称す。
出力端子４は、映像・音声処理部３からの映像・音声信号をＡＶケーブル２０を介して外部の映像・音声表示装置２に出力するものである。
【００１５】
制御部５は、接続検知部５２による検知結果に基づいて、映像・音声出力装置１の電力供給を制御するものである。ここで、制御部５は、映像・音声処理部３の動作制御（各処理部３１の動作開始・動作停止制御）及び各周辺回路７への電源供給制御を行う。この制御部５は、優先度保持部５１及び接続検知部５２を有している。
【００１６】
優先度保持部５１は、予めユーザにより設定された各出力端子４の出力優先度を示す情報（優先度テーブル）を保持するものである。
接続検知部５２は、各出力端子４へのＡＶケーブル２０の接続有無を検知することによって、映像・音声表示装置２との接続有無を検知するものである。この際、接続検知部５２は、優先度保持部５１に保持された優先度テーブルに従った順で、各出力端子４に対する接続検知を行う。なお、接続検知部５２は、出力端子４がアナログ端子である場合には、非可聴音声信号処理部６に対して非可聴音声信号通信の実施を指示し、この非可聴音声信号処理部６による通信結果に基づいて接続検知を行う。
【００１７】
非可聴音声信号処理部６は、出力端子４がアナログ端子である場合に対応するものであり、接続検知部５２からの指示を受けて、音声・映像表示装置２の非可聴音声信号処理部１１との間で非可聴音声信号通信を行うものである。すなわち、非可聴音声信号処理部６は、人間の可聴帯域である２０ｋＨｚを超える非可聴の音声信号をアナログ音声信号にミキシングすることで簡易双方向通信を行う。この非可聴音声信号処理部６による通信結果は接続検知部５２に通知される。
【００１８】
周辺回路７は、対応する処理部３１から対応する出力端子４までの間に存在する電力を消費する部品のうち、当該出力端子４へ映像・音声信号を送出する際にのみ影響のある回路を指す。一例として、ＲＣＡ端子の場合には、ＤＡＣ（Ｄｅｇｉｔａｌ  ｔｏ  ａｎａｌｏｇ  ｃｏｎｖｅｒｔｅｒ）が挙げられる。
【００１９】
映像・音声表示装置２は、図１に示すように、入力端子８ａ〜８ｃ、映像・音声受信部９、映像・音声表示部１０及び非可聴音声信号処理部（表示側非可聴音声信号処理部）１１から構成されている。なお以下では、特に区別する必要がない場合には、各入力端子８ａ〜８ｃを入力端子８と称す。また、非可聴音声信号処理部１１は本発明の表示側電力供給制御装置を構成する。
【００２０】
入力端子８は、対応する出力端子４からの映像・音声信号をＡＶケーブル２０を介して入力するものである。
映像・音声受信部９は、各入力端子８に入力された映像・音声信号を受信するものである。
映像・音声表示部１０は、映像・音声受信部９により受信された映像・音声信号に基づいて、映像・音声を表示するものである。
【００２１】
非可聴音声信号処理部１１は、出力端子４がアナログ端子である場合に対応するものであり、非可聴音声信号処理部６との間で非可聴音声信号通信を行うものである。すなわち、非可聴音声信号処理部１１は、人間の可聴帯域である２０ｋＨｚを超える非可聴の音声信号をアナログ音声信号にミキシングすることで簡易双方向通信を行う。
【００２２】
なお、本発明は、ＳＴＢに限るものではなく、出力端子を複数有する映像・音声出力装置と入力端子を複数有する映像・音声表示装置とを備えた映像・音声出力表示システムであれば、他の機器にも適用可能である。
また、図１では省略しているが、映像・音声出力装置１は、電源ボタンの押下やリモコンの操作等により起動し、映像・音声コンテンツをインターネット経由で受信してデコード処理を行う能力を有するものとしてもよい。
【００２３】
また、図１では、各端子４，８をそれぞれ、種別ごとに１本ずつ計３本設けた場合について示したが、これに限るものではない。また、各処理部３１や出力端子４の数は、図１に示す数に限るものではないが、出力端子４の数だけ処理部３１も細分化し、１対１対応となるように構成する。
【００２４】
次に、上記のように構成された電源供給制御システムの動作について説明する。図２はこの発明の実施の形態１に係る電源供給制御システムの動作を示すフローチャートであり、図３は優先度保持部５１が保持している優先度テーブルの一例を示す図である。図３の例では、出力優先度が高い順に優先度１（ＨＤＭＩ）、優先度２（Ｄ端子）、優先度３（ＲＣＡ）が設定されている。
なお以下の動作説明では、映像・音声出力装置１の出力端子４ａはＨＤＭＩ端子であり、出力端子４ｂはＤ端子であり、出力端子４ｃはＲＣＡ端子であるとする。また、処理部３１ａはＨＤＭＩ端子４ａに対応したＨＤＭＩ出力処理部であり、処理部３１ｂはＤ端子４ｂに対応したＤ端子出力処理部であり、処理部３１ｃはＲＣＡ端子４ｃに対応したＲＣＡ出力処理部であるとする。
【００２５】
電源供給制御システムの動作では、図２に示すように、まず、接続検知部５２は、まず、優先度保持部５１に保持されている優先度テーブルを参照することで、各出力端子４ａ〜４ｃの出力優先度を確認する（ステップＳＴ２０１）。
【００２６】
次いで、接続検知部５２は、最も出力優先度の高い端子（ＨＤＭＩ端子４ａ）にＡＶケーブル２０が接続されているか否かを検知することで、映像・音声表示装置２が接続されているか否かを検知する（ステップＳＴ２０２）。ここで、接続検知部５２は、ＨＤＭＩ端子４ａのホットプラグ検出用ピンがハイであるかローであるかを判定することで接続検知を行う。
【００２７】
このステップＳＴ２０２において、接続検知部５２は、検知信号から、ＨＤＭＩ端子４ａにＡＶケーブル２０を介して映像・音声表示装置２が接続されていると判定した場合には、その旨を制御部５に通知する。そして、制御部５は、映像・音声処理部３の制御を行う（ステップＳＴ２０３，２０４）。すなわち、制御部５は、ＨＤＭＩ出力処理部３１ａを動作させ、その他の処理部３１ｂ，３１ｃの動作を停止させる。
【００２８】
さらに、制御部５は、ステップＳＴ２０３，２０４に伴って、ＨＤＭＩ端子４ａ以外の出力端子４ｂ，４ｃの周辺回路７ｂ，７ｃへの電源供給を停止する（ステップＳＴ２０５）。
【００２９】
一方、ステップＳＴ２０２において、接続検知部５２は、検知信号から、ＨＤＭＩ端子４ａにＡＶケーブル２０が接続されていないと判定した場合には、次に優先度の高い端子（Ｄ端子４ｂ）にＡＶケーブル２０が接続されているか否かを検知することで、映像・音声表示装置２が接続されているか否かを検知する（ステップＳＴ２０６）。ここで、接続検知部５２は、Ｄ端子４ｂのプラグ検出用ピンの電圧値を検出することで接続検知を行う。
【００３０】
このステップＳＴ２０６において、接続検知部５２は、検知信号から、Ｄ端子４ｂにＡＶケーブル２０を介して映像・音声表示装置２が接続されていると判定した場合には、その旨を制御部５に通知する。そして、制御部５は、映像・音声処理部３の制御を行う（ステップＳＴ２０７，２０８）。すなわち、制御部５は、Ｄ端子出力処理部３１ｂを動作させ、その他の処理部３１ａ，３１ｃの動作を停止させる。
【００３１】
さらに、制御部５は、ステップＳＴ２０７，２０８に伴って、Ｄ端子４ｂ以外の出力端子４ａ，４ｃの周辺回路７ａ，７ｃへの電源供給を停止する（ステップＳＴ２０９）。ここで、Ｄ端子４ｂは映像出力のみであるため、音声が必要な場合には、音声・映像表示装置２が接続されている出力端子４のうち、音声出力が可能で出力優先度の高い出力端子４の処理部３１を動作させ、出力のみ追加で開始することも可能とする。
【００３２】
一方、ステップＳＴ２０６において、接続検知部５２は、検知信号から、Ｄ端子４ｂにＡＶケーブル２０が接続されていないと判定した場合には、次に優先度の高い端子（ＲＣＡ端子４ｃ）にＡＶケーブル２０が接続されているか否かを検知することで、映像・音声表示装置２が接続されているか否かを検知する（ステップＳＴ２１０）。ただし、ＲＣＡ端子４ｃはアナログ端子であるため、非可聴音声信号処理部６を用いてＲＣＡ端子４ｃの接続検知を行う。
【００３３】
すなわち、まず、非可聴音声信号処理部６にて、人間の可聴帯域である２０ｋＨｚを超える非可聴音声信号を映像・音声表示装置２の非可聴音声信号処理部１１に送信する。ここで、信号の送信は連続的である必要はなく、例えば、ＩＰネットワークで行うＰｉｎｇ信号等のテストパケットのような確認信号を用いてもよい。また、送信間隔や周波数帯を調節し様々なパターンのやり取りを可能にすることで、簡易的な通信手段を確立することができる。
ここでは、非可聴音声信号処理部６にて、出力端子４ｃと入力端子８ｃとの間が接続されているかを確認する問い合わせ信号として、２０ｋＨｚの音声信号を非可聴音声信号処理部１１に送信するものとする。また、非可聴音声信号処理部１１にて、上記問い合わせ信号に対する確認信号として、２５ｋＨｚの音声信号を送信するものとする。
【００３４】
そして、非可聴音声信号処理部１１からの確認信号を非可聴音声信号処理部６で受信できた場合には、出力端子４ｃと入力端子８ｃとの間が接続されていると判定することができる。
一方、問い合わせ信号の送出後、非可聴音声信号処理部６は確認信号の待ち状態となり、任意の時間待っても非可聴音声信号処理部１１からの確認信号を受信できなかった場合には、出力端子４ｃと入力端子８ｃとの間が非接続であると判定することができる。
【００３５】
なお上記では、非可聴音声信号処理部６が送信する信号と、非可聴音声信号処理部１１が送信する信号とは、周波数が異なる信号としたが、これに限るものではない。例えば、時間軸を考慮して、数秒信号を流し続ける長信号と数ミリ秒の短い信号を流す短信号とを組み合わせて、「１」，「０」や「Ｈｉ」，「Ｌｏｗ」等のような違いを表すことも可能であり、これらの組み合わせで簡易的な通信も行うことができる。
この非可聴音声信号処理部６による通信結果は接続検知部５２に通知される。
【００３６】
このステップＳＴ２１０において、接続検知部５２は、非可聴音声信号処理部６による通信結果から、ＲＣＡ端子４ｃにＡＶケーブル２０を介して映像・音声表示装置２が接続されていると判定した場合には、その旨を制御部５に通知する。そして、制御部５は、映像・音声処理部３の制御を行う（ステップＳＴ２１１，２１２）。すなわち、制御部５は、ＲＣＡ出力処理部３１ｃを動作させ、その他の処理部３１ａ，３１ｂの動作を停止させる。
【００３７】
さらに、制御部５は、ステップＳＴ２１１，２１２に伴って、ＲＣＡ端子４ｃ以外の出力端子４ａ，４ｂの周辺回路７ａ，７ｂへの電源供給を停止する（ステップＳＴ２１３）。
一方、ステップＳＴ２１０において、接続検知部５２は、非可聴音声信号処理部６による検知結果から、ＲＣＡ端子４ｃにＡＶケーブル２０が接続されていないと判定した場合には、その旨を制御部５に通知する。そして、制御部５は、映像・音声処理部３の制御を行う（ステップＳＴ２１４）。すなわち、制御部５は、映像・音声処理部３をスリープモードやスタンバイモードのように必要最低限の電力のみ使用するモードに設定する。また、シャットダウンするようにしてもよい。
【００３８】
以上のように、この実施の形態１によれば、アナログ端子の接続検知に対して、非可聴音声信号処理部６，１１による非可聴音声信号通信を利用するように構成したので、非可聴音声信号処理部６からの音声信号が映像・音声表示装置２で音声として出力されたとしても、視聴者には聴こえない。そのため、通常用途の妨げとならない方法で、各出力端子４と各入力端子８との間のケーブル接続の有無を検知することができる。そして、この検知結果に応じて映像・音声処理部３の動作制御や周辺回路７への電源供給制御を行うことができる。よって、効率的な電源供給を実現することができ、システム全体での低消費電力化を図ることができる。
また、機械的なスイッチを用いるものではないため、機械的な構造の寿命による制約を受けることもない。
【００３９】
実施の形態２．
図４はこの発明の実施の形態２に係る電力供給制御システムが適用された映像・音声出力表示システムの全体構成を示す図である。図４に示す実施の形態２に係る映像・音声出力表示システムは、図１に示す実施の形態１に係る映像・音声出力表示システムの映像・音声表示装置２に電源オフ制御部１２を追加したものである。その他の構成は同様であり、同一の符号を付してその説明を省略する。
【００４０】
電源オフ制御部１２は、ユーザが電源ボタンの押下やリモコンの操作等により映像・音声表示装置２の電源をＯＦＦにする動作を行った場合に、映像・音声出力装置１の動作が終了するまで、映像・音声表示装置２を電源ＯＦＦの準備状態とするものである。
【００４１】
また、図４では、映像・音声出力装置１の出力端子４として、例えばＨＤＭＩ端子のようにＣＥＣ機能により双方向通信が可能な出力端子４ａ、及び、ＲＣＡ端子のようなアナログ端子４ｂのみを具備した場合を示している。また、映像・音声表示装置２は、出力端子４ａ，４ｂに対応した入力端子８ａ，８ｂを備えている。
【００４２】
なお、本発明は、ＳＴＢに限るものではなく、出力端子を複数有する映像・音声出力装置と入力端子を複数有する映像・音声表示装置とを備えた映像・音声出力表示システムであれば、他の機器にも適用可能である。また、図１では、各端子４，８をそれぞれ、種別ごとに１本ずつ計２本設けた場合について示したが、これに限るものではない。
【００４３】
この実施の形態２では、ＨＤＭＩ端子等の出力端子４ａのＣＥＣ機能又は非可聴音声信号処理部６による映像・音声表示装置２との双方向通信によって、映像・音声表示装置２の電源状態を検知する。これにより、通常用途で想定されるように映像・音声出力装置１の電源がＯＮのままであっても、映像・音声表示装置２の電源状態に連動して、映像・音声処理部３の動作制御や各周辺回路７への電源供給制御等が可能となる。よって、効率的な電源供給を実現することができ、システム全体での低消費電力化を図ることができる。
【００４４】
次に、上記のように構成された電源供給制御システムの動作について説明する。まず、映像・音声表示装置２の電源がＯＦＦからＯＮになる場合での動作について図５を参照しながら説明する。
なお、図６は優先度保持部５１が保持している優先度テーブルの一例を示す図である。図６の例では、出力優先度が高い順に優先度１（ＨＤＭＩ）、優先度２（ＲＣＡ）が設定されている。
なお以下の動作説明では、映像・音声出力装置１の出力端子４ａはＨＤＭＩ端子であり、出力端子４ｂはＲＣＡ端子であるとする。また、処理部３１ａはＨＤＭＩ端子４ａに対応したＨＤＭＩ出力処理部であり、処理部３１ｂはＲＣＡ端子４ｂに対応したＲＣＡ出力処理部であるとする。
【００４５】
映像・音声表示装置２の電源がＯＦＦからＯＮになる場合での電源供給制御システムの動作では、図５に示すように、まず、ユーザにより電源ボタンの押下やリモコンの操作等がなされることで、映像・音声表示装置２の電源がＯＮになる（ステップＳＴ５０１）。
一方、接続検知部５２は、優先度保持部５１に保持されている優先度テーブルを参照し、優先度１に設定されたＨＤＭＩ端子４ａのＣＥＣ機能が有効であるか否かを判定する（ステップＳＴ５０２）。ここで、接続検知部５２は、所定の間隔で、ＨＤＭＩ端子４ａを介して接続先に例えば「ＣＥＣ  ｅｎａｂｌｅ？」を示す信号をポーリングし、当該接続先から例えば「ＣＥＣ  ｅｎａｂｌｅ．」を示す信号を受信できた場合にＣＥＣ機能が有効であると判定する。
【００４６】
このステップＳＴ５０２において、接続検知部５２が、ＨＤＭＩ端子４ａのＣＥＣ機能が有効であると判定した場合は、制御部５は、ＨＤＭＩ出力処理部３１ａを動作させて、ＨＤＭＩ端子４ａに映像・音声信号を出力させる（ステップＳＴ５０３）。
また、制御部５は、ＨＤＭＩ出力処理部３１ａ以外の処理部３１ｂの動作を停止させ、ＨＤＭＩ端子４ａ以外の出力端子４ｂの周辺回路７ｂへの電源供給を停止する（ステップＳＴ５０４）。
【００４７】
次いで、映像・音声表示装置２の入力切替を行う（ステップＳＴ５０５）。すなわち、ＨＤＭＩ端子４ａのＣＥＣ機能により、ＨＤＭＩ端子４ａに対応した入力切替を行う。これにより、映像・音声表示装置２はＨＤＭＩ入力に切り替えられ、映像表示が可能となる
その後、映像・音声表示装置２に映像・音声が表示される（ステップＳＴ５０６）。
【００４８】
一方、ステップＳＴ５０２において、接続検知部５２が、ＨＤＭＩ端子４ａのＣＥＣ機能が有効ではないと判定した場合には、非可聴音声信号処理部６による非可聴音声信号通信が有効であるか否かを判定する（ステップＳＴ５０７）。ここで、接続検知部５２は、非可聴音声信号処理部６から例えば「ｅｎａｂｌｅ？」に相当する周波数の非可聴音声信号を映像・音声表示装置２の非可聴音声信号処理部１１に送信し、非可聴音声信号処理部１１から例えば「ｅｎａｂｌｅ．」に相当する周波数の非可聴音声信号を非可聴音声信号処理部６で受信できた場合には、非可聴音声信号通信が有効であると判定する。なお、非可聴音声信号は、連続的に出力されるものに限らず、一定間隔で送出するようなものでもよいし、ランダムでもよい。また、送信間隔や周波数帯を調節し様々なパターンのやり取りをし、一つ一つ非可聴音声信号と装置の動作を対応させていくことで、非可聴音声信号通信を有効とすることもできる。
【００４９】
このステップＳＴ５０７において、接続検知部５２が、非可聴音声信号通信が有効であると判定した場合には、制御部５は、ＲＣＡ出力処理部３１ｂを動作させて、ＲＣＡ端子４ｂに映像・音声信号を出力させる（ステップＳＴ５０８）。
また、出力端子数が３本以上の場合には、制御部５は、ＲＣＡ出力処理部３１ｂ以外の処理部３１の動作を停止させ、ＲＣＡ端子４ｂ以外の出力端子４の周辺回路７への電源供給を停止する（ステップＳＴ５０９）。なお、図４の例では、ＨＤＭＩ端子４ａ及びＲＣＡ端子４ｂのみであるため、ステップＳＴ５０９における処理は行われない。
【００５０】
次いで、映像・音声表示装置２の入力切替を行う（ステップＳＴ５１０）。すなわち、まず、非可聴音声信号処理部６から、非可聴音声信号を用いて、ＲＣＡ端子４ｂに映像・音声信号を送出することを非可聴音声信号処理部１１に通知する。そして、その信号を受け取った非可聴音声信号処理部１１は、直接、又は映像・音声表示装置２のチャンネル制御を行う制御部を介して、ＲＣＡ端子４ｂに対応した入力切替を行う。これにより、映像・音声表示装置２はＲＣＡ入力に切り替えられ、映像表示が可能となる。
その後、映像・音声表示装置２に映像・音声が表示される（ステップＳＴ５１１）。
【００５１】
一方、ステップＳＴ５０７において、接続検知部５２が、非可聴音声信号通信が有効でないと判定した場合は、制御部５は、全ての処理部３１の動作を停止させ、全ての周辺回路７への電源供給を停止する（ステップＳＴ５１２）。すなわち、制御部５は、スリープモードやスタンバイモード等の電源がＯＮするのに必要な最低限の消費電力で動作するモード等に設定することで、全ての出力端子４への出力処理停止及び全ての周辺回路７への電源供給停止を実現する。
なお、図６の優先度テーブルではＨＤＭＩ端子４ａを最も高い優先度とした場合について示したが、この優先度は任意に設定可能である。
【００５２】
以上より、映像・音声表示装置２の電源ＯＮに連動して、必要な時に必要な部分だけ映像・音声処理・出力を行うことができ、さらには周辺回路７に対しても、映像・音声表示装置２の電源ＯＮに連動して、必要な時に必要な部分だけ電源供給が可能となる。そのため、システム全体として消費電力を効率良く抑えたシステム運用が可能となる。
【００５３】
次に、映像・音声表示装置２の電源がＯＮからＯＦＦになる場合での動作について図７を参照しながら説明する。
映像・音声表示装置２の電源がＯＮからＯＦＦになる場合での電源供給制御システムの動作では、図７に示すように、まず、ユーザが電源ボタンの押下やリモコンの操作等により映像・音声表示装置２の電源をＯＦＦにする動作を行うことで、電源オフ制御部１２が動作して、映像・音声表示装置２を電源ＯＦＦの準備状態にする（ステップＳＴ７０１）。
一方、接続検知部５２は、ＨＤＭＩ端子４ａのＣＥＣ機能が有効であるか否かを判定する（ステップＳＴ７０２）。なお、ＣＥＣ機能の有効判定を行うポーリング間隔をＴ１（ｓｅｃ）とし、電源オフ制御部１２が動作し始めてから映像・音声表示装置２の電源がＯＦＦになるまでの時間をＴ２（ｓｅｃ）とした場合、Ｔ１＜Ｔ２となるようにポーリング間隔を設定しておく。
【００５４】
このステップＳＴ７０２において、接続検知部５２は、ＨＤＭＩ端子４ａのＣＥＣ機能が有効であると判定した場合は、ＨＤＭＩ端子４ａのＣＥＣ機能により、映像・音声表示装置２の電源がＯＦＦとなることを検知する。次いで、制御部５は、全ての処理部３１の動作を停止させ、全ての周辺回路７への電源供給を停止する（ステップＳＴ７０３）。すなわち、制御部５は、スリープモードやスタンバイモード等の電源がＯＮするのに必要な最低限の消費電力で動作するモード等に設定することで、全ての出力端子４への出力処理停止及び全ての周辺回路７への電源供給停止を実現する。
その後、電源オフ制御部１２は、映像・音声表示装置２の電源をＯＦＦにさせる（ステップＳＴ７０４）。
【００５５】
一方、ステップＳＴ７０２において、接続検知部５２が、ＨＤＭＩ端子４ａのＣＥＣ機能が有効ではないと判定した場合には、非可聴音声信号処理部６による非可聴音声信号通信が有効であるか否かを判定する（ステップＳＴ７０５）。
【００５６】
このステップＳＴ７０５において、接続検知部５２が、非可聴音声信号通信が有効であると判定した場合には、非可聴音声信号処理部１１から、非可聴音声信号を用いて、映像・音声表示装置２の電源がＯＦＦとなることが非可聴音声信号処理部６に通知される。次いで、制御部５は、全ての処理部３１の動作を停止させ、全ての周辺回路７への電源供給を停止する（ステップＳＴ７０６）。すなわち、制御部５は、スリープモードやスタンバイモード等の電源がＯＮするのに必要な最低限の消費電力で動作するモード等に設定することで、全ての出力端子４への出力処理停止及び全ての周辺回路７への電源供給停止を実現する。
その後、電源オフ制御部１２は、映像・音声表示装置２の電源をＯＦＦにさせる（ステップＳＴ７０７）。
【００５７】
以上より、映像・音声表示装置２の電源ＯＦＦに連動して、映像・音声出力装置１への電力供給を、次回、映像・音声表示装置２の電源がＯＮとなった際に電源をＯＮするのに必要な最低限の電力とすることで、システム全体として消費電力を効率良く抑えたシステム運用が可能となる。
【００５８】
以上のように、この実施の形態２によれば、ＣＥＣ機能による双方向通信、又は、非可聴音声信号処理部６，１１による双方向簡易通信によって、映像・音声表示装置２の電源状態を検知するように構成したので、映像・音声表示装置２の電源状態に連動して、映像・音声処理部３の動作制御や各周辺回路７への電源供給制御等が可能となる。そのため、効率的な電源供給を実現することができ、システム全体での低消費電力化を図ることができる。
【００５９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６０】
１  映像・音声出力装置、２  映像・音声表示装置、３  映像・音声処理部、４，４ａ〜４ｃ  出力端子、５  制御部、６  非可聴音声信号処理部（出力側非可聴音声信号処理部）、７，７ａ〜７ｃ  周辺回路、８，８ａ〜８ｃ  入力端子、９  映像・音声受信部、１０  映像・音声表示部、１１  非可聴音声信号処理部（表示側非可聴音声信号処理部）、１２  電源オフ制御部、２０  ＡＶケーブル、３１，３１ａ〜３１ｃ  処理部、５１  優先度保持部、５２  接続検知部。
【図１】
2013102265.tif 000003
【図２】
2013102265.tif 000004
【図３】
2013102265.tif 000005
【図４】
2013102265.tif 000006
【図５】
2013102265.tif 000007
【図６】
2013102265.tif 000008
【図７】
2013102265.tif 000009